(57)【要約】【課題】撮影時に十分な音量のシャッタ音を必ず鳴らすことができ、撮影行為を周囲に報知することが可能で、また、撮影画像データの悪用を防止できる撮像端末を提供する。【解決手段】シャッタ発生音を設定するアプリケーションまたはシャッタ発生音に関するデータにより設定可能なシャッタ音設定データを記憶するデータ記憶部１５と、データ記憶部１５に記憶されたシャッタ音設定データによりシャッタ音を発生するシャッタ音発生部１３と、シャッタ発生音に関するデータにより発生されるシャッタ音が所定音量以上か否か判断するシャッタ音適性チェック機能を有しシャッタ音適性チェック機能の判断に基づきシャッタ発生音に関するデータによるシャッタ音設定データの設定を禁止する制御部２０とを有する。【選択図】図１
2010220234.tif 000002
【特許請求の範囲】
【請求項１】
シャッタ発生音に関するデータを設定可能な撮像端末であって、
前記シャッタ発生音に関するデータによりシャッタ音設定データを記憶するデータ記憶部と、
前記データ記憶部に記憶されたシャッタ音設定データによりシャッタ音を発生するシャッタ音発生手段と、
前記シャッタ発生音に関するデータにより発生されるシャッタ音が所定音量以上か否か判断するシャッタ音適性チェック手段と、
前記シャッタ音適性チェック手段の判断に基づき、前記シャッタ発生音に関するデータによる前記シャッタ音設定データの設定を禁止する設定禁止手段と
を備えた撮像端末。
【請求項２】
シャッタ発生音に関するデータを設定可能な撮像端末であって、
前記シャッタ発生音に関するデータによりシャッタ音設定データを記憶するデータ記憶部と、
前記データ記憶部に記憶されたシャッタ音設定データによりシャッタ音を発生するシャッタ音発生手段と、
前記データ記憶部に記憶されたシャッタ音設定データにより発生されるシャッタ音が所定音量以上か否か判断するシャッタ音適性チェック手段と、
前記シャッタ音適性チェック手段の判断に基づき、前記データ記憶部に記憶されたシャッタ音設定データを変更する設定変更手段と
を備えた撮像端末。
【請求項３】
シャッタ発生音に関するデータを設定可能な撮像端末であって、
前記シャッタ発生音に関するデータによりシャッタ音設定データを記憶するデータ記憶部と、
前記データ記憶部に記憶されたシャッタ音設定データによりシャッタ音を発生するシャッタ音発生手段と、
撮影手段と、
前記撮影手段を制御する撮影ドライバと、
前記シャッタ音発生手段を制御するシャッタ音ドライハと、
前記撮影ドライバ及びシャッタ音ドライバに指令する撮影アプリケーションと、
前記撮影アプリケーションから前記撮影ドライバに撮影指示を指令したことを検知し、前記シャッタ音ドライバにシャッタ音発生を指令する強制シャッタ音発生アプリケーションと
を備えた撮像端末。
【請求項４】
前記シャッタ音記憶部の設定データ書き換えを要求された場合に、新たに設定するシャッタ音データの適性をチェックし、適切であると判断した場合にはシャッタ音記憶部の書き換えを実行し、適切ではないと判断した場合には書き換えを実行しないシャッタ音適性チェック機能を有する
請求項１から３のいずれか一に記載の撮像端末。
【請求項５】
撮影指示がされた場合に、前記シャッタ音記憶部に設定中のシャッタ音データの適性をチェックし、適切であると判断した場合にはそのまま撮影を実行し、適切ではないと判断した場合には前記シャッタ音記憶部の設定データを基本シャッタ音データに書き換えてから撮影を実行するシャッタ音適性チェック機能を有する
請求項１から４のいずれか一に記載の撮像端末。
【請求項６】
シャッタ音鳴動指示があると、前記シャッタ音記憶部に設定中のシャッタ音データの適性をチェックし、適切であると判断した場合にはそのままシャッタ音鳴動を実行し、適切ではないと判断した場合には、前記シャッタ音記憶部の設定データを基本シャッタ音データに書き換えてからシャッタ音鳴動を実行するシャッタ音適性チェック機能を有する
請求項１から５のいずれか一に記載の撮像端末。
【発明の詳細な説明】
【技術分野】
【０００１】
本発明は、シャッタ発生音を設定するアプリケーションやシャッタ発生音に関するデータをインストールや書き換え可能な、カメラ機能付携帯端末等の撮像端末に関するものである。
【背景技術】
【０００２】
現在、携帯電話機等にデジタルカメラ等の撮影装置を備えたカメラ機能付き携帯端末が普及しているが、カメラ機能付き携帯端末よる盗撮行為が社会的な問題となっている。
そのため、撮影行為を周囲に報知する目的で、マナーモード等の設定にかかわらず撮影時に十分な音量のシャッタ音を必ず鳴らすことが一般的となっており、カメラ付き携帯電話のキャリア仕様にもなっている。
【０００３】
また、撮影時に鳴らすシャッタ音用サウンドデータを事前の設定により選択可能であるが、現状では選択肢が固定されており、ユーザは予め用意された選択肢からしか設定できない仕様となっている。
したがって、ユーザがどのサウンドデータを設定していても撮影時には十分な音量のシャッタ音を必ず鳴らして、周囲に撮影行為を報知することができる。
【０００４】
一方、ＢＲＥＷ、ｉαｐｐｌｉ、Ｖアプリ、ＭｉｃｒｏｓｏｆｔＳｍａｒｔｐｈｏｎｅ、Ｌｉｎｕｘ、Ｓｙｍｂｉａｎ等のプラットフォームを搭載する携帯端末も普及しており、ユーザの好みに応じて様々なアプリケーションソフトを追加可能となっている。
これにより、カメラ機能を制御可能なアプリケーションソフトをユ−ザの判断で追加して使用可能となってきている。
【０００５】
このように、撮影時にシャッタ音を鳴らすように構成された装置としては、たとえば以下の第１から第７の装置が提案されている。
【０００６】
第１の装置は、メカニカルシャッタ音がない、もしくはほとんど聞こえない電子スチルカメラ等の撮像端末であって、撮影開始時と終了時を音声で出力することで撮影時のシャッタタイムを直感的に知ることができる撮像端末である（たとえば特許文献１参照）。
【０００７】
第２の装置は、ネットワークを介してサーバ−から取得した音声データをシャッタ音に利用可能な携帯電話機である。
【０００８】
第３の装置は、シャッタ音を含むカメラ制御プログラムをメモリカードにて書換可能な記録再生装置である。
【０００９】
第４の装置は、サーバよりシャッタ音データをダウンロードし設定変更できるデジタルカメラである。
【００１０】
第５の装置は、ネットワークからアクセサリ用アプリケーションをダウンロード可能な携帯端末である。
【００１１】
第６の装置は、デジタルカメラの診断アプリケーションをネットワークを介して提供するデジタルカメラ等の電子機器デバイスをリモートでサポートするシステムである。
【００１２】
第７の装置は、ネットワークを介してアプリケーションの提供等を可能にした携帯電話機である。
【先行技術文献】
【特許文献】
【００１３】
【特許文献１】特開２００３―３３８９５６号公報
【発明の概要】
【発明が解決しようとする課題】
【００１４】
ところで、近い将来、上述したシャッタ音用サウンドデータは、インターネットや外部装置を介してユーザが自由に入手して選択肢に追加可能となることが予想される。
その場合、撮影行為を周囲に報知するという目的に対して適切ではないシャッタ音用サウンドデータをユーザが設定するおそれがある。
【００１５】
また、上述したプラットフォームを搭載したカメラ機能付き携帯端末の場合、撮影時にシャッタ音を鳴らさない、あるいは設定によりシャッタ音を無音にできるという仕様のカメラアプリケーションソフトを追加して使用されてしまうおそれがある。
【００１６】
本発明の目的は、撮影時に十分な音量のシャッタ音を必ず鳴らすことが可能となり、撮影行為を周囲に報知することが可能な撮像端末を提供することにある。
【課題を解決するための手段】
【００１７】
上記目的を達成するため、本発明の第１の観点は、シャッタ発生音に関するデータを設定可能な撮像端末であって、前記シャッタ発生音に関するデータによりシャッタ音設定データを記憶するデータ記憶部と、前記データ記憶部に記憶されたシャッタ音設定データによりシャッタ音を発生するシャッタ音発生手段と、前記シャッタ発生音に関するデータにより発生されるシャッタ音が所定音量以上か否か判断するシャッタ音適性チェック手段と、前記シャッタ音適性チェック手段の判断に基づき、前記シャッタ発生音に関するデータによる前記シャッタ音設定データの設定を禁止する設定禁止手段とを備えている。
【００１８】
本発明の第２の観点は、シャッタ発生音に関するデータを設定可能な撮像端末であって、前記シャッタ発生音に関するデータによりシャッタ音設定データを記憶するデータ記憶部と、前記データ記憶部に記憶されたシャッタ音設定データによりシャッタ音を発生するシャッタ音発生手段と、前記データ記憶部に記憶されたシャッタ音設定データにより発生されるシャッタ音が所定音量以上か否か判断するシャッタ音適性チェック手段と、前記シャッタ音適性チェック手段の判断に基づき、前記データ記憶部に記憶されたシャッタ音設定データを変更する設定変更手段とを備えている。
【００１９】
本発明の第３の観点は、シャッタ発生音に関するデータを設定可能な撮像端末であって、前記シャッタ発生音に関するデータによりシャッタ音設定データを記憶するデータ記憶部と、前記データ記憶部に記憶されたシャッタ音設定データによりシャッタ音を発生するシャッタ音発生手段と、撮影手段と、前記撮影手段を制御する撮影ドライバと、前記シャッタ音発生手段を制御するシャッタ音ドライハと、前記撮影ドライバ及びシャッタ音ドライバに指令する撮影アプリケーションと、前記撮影アプリケーションから前記撮影ドライバに撮影指示を指令したことを検知し、前記シャッタ音ドライバにシャッタ音発生を指令する強制シャッタ音発生アプリケーションとを備えている。
【００２０】
好適には、前記シャッタ音記憶部の設定データ書き換えを要求された場合に、新たに設定するシャッタ音データの適性をチェックし、適切であると判断した場合にはシャッタ音記憶部の書き換えを実行し、適切ではないと判断した場合には書き換えを実行しないシャッタ音適性チェック機能を有する。
【００２１】
好適には、撮影指示がされた場合に、前記シャッタ音記憶部に設定中のシャッタ音データの適性をチェックし、適切であると判断した場合にはそのまま撮影を実行し、適切ではないと判断した場合には前記シャッタ音記憶部の設定データを基本シャッタ音データに書き換えてから撮影を実行するシャッタ音適性チェック機能を有する。
【００２２】
好適には、シャッタ音鳴動指示があると、前記シャッタ音記憶部に設定中のシャッタ音データの適性をチェックし、適切であると判断した場合にはそのままシャッタ音鳴動を実行し、適切ではないと判断した場合には、前記シャッタ音記憶部の設定データを基本シャッタ音データに書き換えてからシャッタ音鳴動を実行するシャッタ音適性チェック機能を有する。
【発明の効果】
【００２３】
本発明によれば、撮影時に十分な音量のシャッタ音を必ず鳴らすことが可能となり、撮影行為を周囲に報知することが可能となる。
【図面の簡単な説明】
【００２４】
【図１】本発明に係る撮像端末を適用した携帯電話機の第１の実施形態を示す構成図である。
【図２】サウンダ部から適切な音量のシャッタ音が鳴動した場合の波形例を示す図である。
【図３】サウンダ部から適切な音量のシャッタ音が鳴動しなかった場合の第１の波形例を示す図である。
【図４】サウンダ部から適切な音量のシャッタ音が鳴動しなかった場合の第２の波形例を示す図である。
【図５】サウンダ部から適切な音量のシャッタ音が鳴動しなかった場合の第３の波形例を示す図である。
【図６】図１の撮像端末の第１の動作を説明するための図である。
【図７】図１の撮像端末の第２の動作を説明するための図である。
【図８】図１の撮像端末の第３の動作を説明するための図である。
【発明を実施するための形態】
【００２５】
以下、本発明の実施形態を、図面に関連付けて説明する。
【００２６】
図１は、本発明に係る撮像端末を適用した携帯電話機の一実施形態を示す構成図である。
【００２７】
本携帯電話機１０は、図１に示すように、無線通信部１１、撮像手段としての撮像部（カメラ部）１２、シャッタ音発生手段としての報知部（サウンダ部）１３、データ記憶部としてのメモリ部１４、表示部１５、音声出力部１６、音声入力部１７、キー操作部１８、時計・タイマ部１９、および制御部２０を有している。
また、図１において、符号３０は無線基地局を、３１は通信網をそれぞれ示している。
【００２８】
無線通信部１１は、電波を利用した無線通信を行うために、制御部２０で処理された画像データ、音声情報、電子メール等の各種情報を変調して図示しない送受信アンテナを通して無線基地局３０を含む通信網３１に送信する。
また、無線通信部１１は、図示しないサーバから通信網３１を介して送信されてくる画像データ、音声情報、電子メール等を送受信アンテナを通して受信し、受信した各種情報を復調して制御部２０に出力する。
【００２９】
カメラ部１２は、被写体像を取り込むための対物レンズを含む光学系と、光学系により結像された被写体の像を電気信号に変換する撮像素子を含む撮像処理回路とを有し、たとえばキー操作部１８に配置される撮影キーが操作されると、光学系により被写体の光学像を撮影する。
【００３０】
撮像処理回路は、光学系により結像された被写体の光学像を電気信号に変換する。
具体的には、撮像処理回路において、被写体の像は、撮像素子の２次元平面上に画素単位で配置される複数の受光素子により受光される。その際、受光素子上のカラーフィルタを通して色の情報を光３原色（Ｒ，Ｇ，Ｂ）に分解して取り組む。
そして、撮像処理回路は、各画素の輝度値を電圧に変換し、順にアナログ／デジタル（Ａ／Ｄ）変換器によってデジタルデータに変換して制御部２０に供給する。
なお、撮像素子としては、たとえばＣＣＤやＣＭＯＳセンサが適用される。
【００３１】
報知部（サウンダ部）１３は、制御部２０の指示に従って、シャッタ音設定データまたは基本シャッタ音データに応じたシャッタ音を発生する。
報知部（サウンダ部）１３は、たとえばサウンダやバイブレータにより構成される。
【００３２】
メモリ部１４は、シャッタ発生音を設定するアプリケーションまたはシャッタ発生音に関するデータにより設定可能なシャッタ音設定データを記憶するシャッタ音設定データ記憶部１４１と、シャッタ音用サウンドデータとしてデフォルトで用意する基本シャッタ音データを記憶する基本シャッタ音データ記憶部１４２とを有する。
メモリ部１４は、制御部２０によりアクセスされる。
メモリ部１４は、ＥＥＰＲＯＭ等の不揮発性メモリを含み、撮像部（カメラ部）１２により撮影され、圧縮された画像データ等を格納する。
【００３３】
表示部１５は、制御部２０の制御の下、液晶表示装置等の表示デバイスを有し、通話機能のために入力した電話番号や各種メッセージ、テキストデータ等を表示する。
また、表示部１５は、撮像部（カメラ部）１２により得られた被写体の画像を表示する。
【００３４】
音声処理部１６は、制御部２０により供給された音声情報に対して所定の処理を行ってスピーカから放音させる。
【００３５】
音声出力部１７は、マイクロフォンにより集音した音声に対して所定の処理を行って制御部２０に出力する。
【００３６】
キー操作部１８は、終了（終話）／電源キー、開始（発呼）キー、数字等に対応した複数のテンキーや撮影キー等を有し、これらのキーが操作されることにより、ユーザからの入力情報を制御部２０に供給する。
【００３７】
制御部２０は、マイクロコンピュータを主体として構成され、撮像端末としての携帯電話機１０の全体の制御を行う。
たとえば、制御部２０は、無線通信部１１における各種情報の無線による送受信の制御、音声出力部１６、音声入力部１７に対する音声情報の処理、表示部１５への情報の表示制御、キー入力部１８の入力情報に応じた処理、メモリ部１４に対するアクセス制御等を行う。
【００３８】
制御部２０は、シャッタ音適性チェック機能２０４の判断に基づきシャッタ発生音を設定するアプリケーションまたはシャッタ発生音に関するデータによるシャッタ音設定データの設定を禁止する機能を有する。
制御部２０は、サウンダ部１３を制御するサウンダ部（シャッタ音）ドライバ２０１と、カメラ部（撮影）ドライバ２０２と、カメラ部ドライバ２０２およびサウンダ部（シャッタ音）ドライバ２０１に指令するカメラ（撮影）アプリケーション２０３と、カメラ（撮影）アプリケーション２０３からカメラ部ドライバ２０２に撮影指示を指令したことを検知し、サウンダ部（シャッタ音）ドライバ２０１にシャッタ音発生を指令する強制シャッタ音発生アプリケーションと、を備えている。
【００３９】
さらに、制御部２０は、以下のいずれかの処理を行って、撮影行為を周囲に報知するという目的に対して適切なシャッタ音を鳴らすように制御するシャッタ音適性チェック機能２０４を有する。
【００４０】
処理１：シャッタ音設定データ記憶部１４１の設定データを書き換える際、シャッタ音適性チェック機能２０４にてサウンドデータの適性をチェックし、適切ではないと判断した場合、シャッタ音設定データ記憶部の書き換えを不可とし、適切なシャッタ音の設定を維持する。
処理２：撮影直前にシャッタ音適性チェック機能２０４にてシャッタ音記憶部の設定データの適性をチェックし、適切ではないと判断した場合、メモリ部１４の基本シャッタ音データ記憶部１４２の基本シャッタ音データを設定してから撮影を実行する。
【００４１】
より具体的には、制御部２０は、シャッタ音設定データ記憶部１４１の設定データ書き換えを要求された場合に、シャッタ音適性チェック機能２０４にて、新たに設定するシャッタ音用サウンドデータの適性をチェックし、適切であると判断した場合にはシャッタ音設定データ記憶部１４１の書き換えを実行し、適切ではないと判断した場合には書き換えを実行しないという動作を行う。
また、制御部２０は、カメラ部ドライバ２０２へ撮影指示がされた場合に、シャッタ音適性チェック機能２０４にて、シャッタ音設定データ記憶部１４１に設定中のシャッタ音用サウンドデータの適性をチェックし、適切であると判断した場合にはそのまま撮影を実行し、適切ではないと判断した場合にはシャッタ音記憶部の設定データを基本シャッタ音データに書き換えてから撮影を実行するという動作を行う。
また、制御部２０は、サウンダ部ドライバ２０１へシャッタ音鳴動指示があると、シャッタ音適性チェック機能２０４にて、シャッタ音設定データ記憶部１４１に設定中のシャッタ音用サウンドデータの適性をチェックし、適切であると判断した場合にはそのままシャッタ音鳴動を実行し、適切ではないと判断した場合には、シャッタ音設定データ記憶部１４１の設定データを基本シャッタ音データに書き換えてからシャッタ音鳴動を実行するという動作を行う。
制御部２０は、カメラ部ドライバ２０２へ撮影指示があると、カメラ部ドライバ２０２からサウンダ部ドライバ２０１へシャッタ音鳴動指示を行う。
そして、制御部２０は、メモリ部１４をアクセスして、シャッタ音設定データを読み出してサウンダ部１３に出力する。
【００４２】
本実施形態においては、シャッタ音適性チェック機能２０４による判断基準の具体的例として、下記を想定する。
可聴範囲の周波数による音であり、監視開始（撮影）から０．５秒（ｓｅｃ）経過以内に６５ｄＢ以上の音量にて０．２ｓｅｃ以上の鳴動を行っていた場合を”適切”と判断する。
【００４３】
図２は、サウンダ部から適切な音量のシャッタ音が鳴動した場合の波形例を示す図である。
また、図３はサウンダ部から適切な音量のシャッタ音が鳴動しなかった場合の第１の波形例を示す図である。
図３は、監視開始（撮影）から０．５秒（ｓｅｃ）経過以内に６５ｄＢ以上の音量が無かった場合の波形例を示している。
また、図４はサウンダ部から適切な音量のシャッタ音が鳴動しなかった場合の第２の波形例を示す図である。
図４は、監視開始（撮影）から０．５秒（ｓｅｃ）経過以降に６５ｄＢ以上の音量が０．２ｓｅｃ以上である場合の波形例を示している。
【００４４】
さらに、図５は、サウンダ部から適切な音量のシャッタ音が鳴動しなかった場合の第３の波形例を示す図である。
図５は、監視開始（撮影）から０．５秒（ｓｅｃ）経過以前に６５ｄＢ以上の音量が０．２ｓｅｃ未満である場合の波形例を示している。
【００４５】
次に、図１の撮像端末の第１、第２、第３の動作パターンを図６、図７、および図８に関連付けて説明する。
【００４６】
まず、第１の動作パターンについて図６に関連付けて説明する。
図１の撮像端末１０において、キー操作部１８の撮影キーが操作されて（ＳＴ１）、制御部２０のカメラアプリケーション２０３を通してカメラ部ドライバ２０２に対して撮影指示があった場合（ＳＴ２）、カメラ部ドライバ２０２からサウンダ部ドライバ２０１にシャッタ音鳴動指示が出される（ＳＴ３）。
また、シャッタ音適性チェック機能２０４にて、新たに設定するシャッタ音用サウンドデータの適性をチェックし、適切であると判断した場合にはシャッタ音設定データ記憶部１４１の書き換えを実行し、適切ではないと判断した場合には書き換えを実行しないという動作を行われ、サウンダ部ドライバ２０１によりシャッタ音データが取得される（ＳＴ４）。
そして、カメラ部ドライバ２０２からカメラ部（撮像部）１２に対する撮影制御が行われる（ＳＴ５）。
また、事前にシャッタ音適性チェック機能２０４にてチェックされた結果、適切なシャッタ音設定データが記憶されている状態であるため、サウンダ部ドライバ２０１によりサウンダ部１３に対して常に適切なシャッタ音データで鳴動制御が行われる（ＳＴ６）。
【００４７】
次に、第２の動作パターンについて図７に関連付けて説明する。
図１の撮像端末１０において、キー操作部１８の撮影キーが操作されて（ＳＴ１１）、制御部２０のカメラアプリケーション２０３を通してカメラ部ドライバ２０２に対して撮影指示があった場合（ＳＴ１２）、カメラ部ドライバ２０２からシャッタ音適性チェック機能２０４にシャッタ音適性チェック指示が出される（ＳＴ１３）。
これに伴い、シャッタ音適性チャック機能２０４にて、シャッタ音設定データ記憶部１４１に設定中のシャッタ音用サウンドデータの適性をチェックし、適切であると判断した場合にはそのまま撮影を実行し、適切ではないと判断した場合にはシャッタ音記憶部の設定データが基本シャッタ音データに書き換えられる（ＳＴ１４）。
そして、シャッタ音適性チェック機能２０４からカメラ部ドライバ２０２にチェック完了が報知されると（ＳＴ１５）、カメラ部ドライバ２０２からサウンダ部ドライバ２０１にシャッタ音鳴動指示が出される（ＳＴ１６）。
また、サウンダ部ドライバ２０１によりシャッタ音データが取得される（ＳＴ１７）。
そして、カメラ部ドライバ２０２からカメラ部（撮像部）１２に対する撮影制御が行われる（ＳＴ１８）。
また、サウンダ部ドライバ２０１によりサウンダ部１３に対してシャッタ音設定データにより鳴動制御が行われる（ＳＴ１９）。
【００４８】
次に、第３の動作パターンについて図８に関連付けて説明する。
図１の撮像端末１０において、キー操作部１８の撮影キーが操作されて（ＳＴ２１）、制御部２０のカメラアプリケーション２０３を通してカメラ部ドライバ２０２に対して撮影指示があった場合（ＳＴ２２）、カメラ部ドライバ２０２からサウンダ部ドライバ２０１にシャッタ音鳴動指示が出される（ＳＴ２３）。
そして、サウンダ部ドライバ２０１からシャッタ音適性チェック機能２０４にシャッタ音適性チェック指示が出される（ＳＴ２４）。
これに伴い、シャッタ音適性チャック機能２０４にて、シャッタ音設定データ記憶部１４１に設定中のシャッタ音用サウンドデータの適性をチェックし、適切であると判断した場合にはそのままシャッタ音鳴動を実行し、適切ではないと判断した場合には、シャッタ音設定データ記憶部１４１の設定データが基本シャッタ音データに書き換えられる（ＳＴ２５）。
そして、シャッタ音適性チェック機能２０４からサウンダ部ドライバ２０１にチェック完了が報知されると（ＳＴ２６）、サウンダ部ドライバ２０１によりシャッタ音データが取得される（ＳＴ２７）。
そして、カメラ部ドライバ２０２からカメラ部（撮像部）１２に対する撮影制御が行われる（ＳＴ２８）。
また、サウンダ部ドライバ２０１によりサウンダ部１３に対してシャッタ音設定データにより鳴動制御が行われる（ＳＴ２９）。
【００４９】
以上説明したように、本実施形態によれば、シャッタ発生音を設定するアプリケーションまたはシャッタ発生音に関するデータにより設定可能なシャッタ音設定データを記憶するデータ記憶部１５と、データ記憶部１５に記憶されたシャッタ音設定データによりシャッタ音を発生するシャッタ音発生部１３と、シャッタ発生音に関するデータにより発生されるシャッタ音が所定音量以上か否か判断するシャッタ音適性チェック機能を有しシャッタ音適性チェック機能の判断に基づきシャッタ発生音に関するデータによるシャッタ音設定データの設定を禁止する制御部２０とを有することから、撮影時に十分な音量のシャッタ音を必ず鳴らすことが可能となり、撮影行為を周囲に報知することが可能となる。
【符号の説明】
【００５０】
１０…携帯電話機（撮像端末）、１１…無線通信部、１２…撮像手段としての撮像部（カメラ部）、１３…シャッタ音発生手段としての報知部(サウンダ部)、１４…データ記憶部としてのメモリ部、１５…表示部、１６…音声出力部、１７…音声入力部、１８…キー操作部、１９…時計・タイマ部、２０…制御部、３０…無線基地局、３１…通信網。
【図１】
2010220234.tif 000003
【図２】
2010220234.tif 000004
【図３】
2010220234.tif 000005
【図４】
2010220234.tif 000006
【図５】
2010220234.tif 000007
【図６】
2010220234.tif 000008
【図７】
2010220234.tif 000009
【図８】
2010220234.tif 000010
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
シャッタ音を発生するシャッタ音発生手段と、
撮影手段と、
前記撮影手段を制御する撮影ドライバと、
前記シャッタ音発生手段を制御するシャッタ音ドライバと、
撮影アプリケーションから前記撮影ドライバに撮影指示を指令したことを検知し、前記シャッタ音ドライバにシャッタ音発生を指令する制御手段と、
を備えた撮像端末。
【請求項２】
シャッタ音の書き換えを要求された場合に、新たに設定するシャッタ音の適性をチェックし、適切であると判断した場合、シャッタ音を書き換え、適切ではないと判断した場合、シャッタ音を書き換えないシャッタ音適性チェック機能を有する
請求項１に記載の撮像端末。
【請求項３】
撮影指示がされた場合に、設定中のシャッタ音の適性をチェックし、適切であると判断した場合、そのまま撮影し、適切ではないと判断した場合、シャッタ音を基本シャッタ音に書き換えてから撮影するシャッタ音適性チェック機能を有する
請求項１又は２に記載の撮像端末。
【請求項４】
シャッタ音鳴動指示があると、設定中のシャッタ音の適性をチェックし、適切であると判断した場合、そのままシャッタ音鳴動を実行し、適切ではないと判断した場合、シャッタ音を基本シャッタ音に書き換えてからシャッタ音鳴動を実行するシャッタ音適性チェック機能を有する
請求項１から３のいずれか一に記載の撮像端末。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
本発明は、シャッタ音を発生するシャッタ音発生手段と、撮影手段と、前記撮影手段を制御する撮影ドライバと、前記シャッタ音発生手段を制御するシャッタ音ドライバと、撮影アプリケーションから前記撮影ドライバに撮影指示を指令したことを検知し、前記シャッタ音ドライバにシャッタ音発生を指令する制御手段と、を備えている。
【手続補正５】
【補正対象書類名】明細書
【補正対象項目名】００２０
【補正方法】変更
【補正の内容】
【００２０】
好適には、シャッタ音の書き換えを要求された場合に、新たに設定するシャッタ音の適性をチェックし、適切であると判断した場合、シャッタ音を書き換え、適切ではないと判断した場合、シャッタ音を書き換えないシャッタ音適性チェック機能を有する。
【手続補正６】
【補正対象書類名】明細書
【補正対象項目名】００２１
【補正方法】変更
【補正の内容】
【００２１】
好適には、撮影指示がされた場合に、設定中のシャッタ音の適性をチェックし、適切であると判断した場合、そのまま撮影し、適切ではないと判断した場合、シャッタ音を基本シャッタ音に書き換えてから撮影するシャッタ音適性チェック機能を有する。
【手続補正７】
【補正対象書類名】明細書
【補正対象項目名】００２２
【補正方法】変更
【補正の内容】
【００２２】
好適には、シャッタ音鳴動指示があると、設定中のシャッタ音の適性をチェックし、適切であると判断した場合、そのままシャッタ音鳴動を実行し、適切ではないと判断した場合、シャッタ音を基本シャッタ音に書き換えてからシャッタ音鳴動を実行するシャッタ音適性チェック機能を有する。